【手続補正書】
【提出日】平成22年5月25日(2010.5.25)
【手続補正１】
【補正対象書類名】特許請求の範囲
【補正対象項目名】全文
【補正方法】変更
【補正の内容】
【特許請求の範囲】
【請求項１】
小腸挿入具であって、
近位端と、
遠位端と、
前記近位端と前記遠位端の間の少なくとも１つの傾斜部であって、前記小腸内の少なくとも１つの傾斜目標部位に対応する傾斜部と、
生分解性材料から成る前記挿入具の少なくとも一部と
を含む長形部材を備え、
前記長形部材は、最初は前記目標部位内に安定して配置され、その後、前記生分解性材料の分解後、前記目標部位から離されるように非安定化するよう構成される小腸挿入具。
【請求項２】
前記傾斜部が生分解性材料を備える、請求項１に記載の挿入具。
【請求項３】
前記傾斜部が形状記憶材料を備える、請求項１に記載の挿入具。
【請求項４】
前記形状記憶材料が形状記憶合金または生分解性形状記憶ポリマーのいずれかを備える、請求項３に記載の挿入具。
【請求項５】
前記傾斜部が形状記憶合金部および生分解性部を備える、請求項１に記載の挿入具。
【請求項６】
前記生分解性部が、分解後、前記形状記憶合金部の除去を簡易化するように構成される、請求項５に記載の挿入具。
【請求項７】
前記形状記憶合金部および前記生分解性部が接合部で接合され、前記接合部が前記生分解性部の分解に伴って分解するように構成される、請求項５に記載の挿入具。
【請求項８】
前記小腸内の前記傾斜目標部位が前記十二指腸にある、請求項１に記載の挿入具。
【請求項９】
前記十二指腸内の前記傾斜目標部位が２つの角度を備え、前記挿入具が前記十二指腸の２つの角度に対応する２つの角度を有する、請求項８に記載の挿入具。
【請求項１０】
前記長形部材によって支持される少なくとも１つの流速低減素子をさらに備え、前記流速低減素子が前記小腸内の糜粥の流速を低減するように構成される、請求項１に記載の挿入具。
【請求項１１】
前記流速低減素子が少なくとも部分的に生分解性材料から形成される、請求項１０に記載の挿入具。
【請求項１２】
前記流速低減素子がリブ、ネット、スリーブ、バスケット、中央に搭載されるバッフル、周縁に搭載されるバッフル、発泡体状材料、またはファンのいずれかを含む、請求項１０に記載の挿入具。
【請求項１３】
前記発泡体状材料が連続気泡発泡体、独立気泡発泡体、またはヒドロゲルのいずれかを含む、請求項１２に記載の挿入具。
【請求項１４】
前記発泡体状材料が内部に組み込まれた生物活性物質を備える、請求項１３に記載の挿入具。
【請求項１５】
前記発泡体状材料は生分解性であり、前記生物活性物質は前記発泡体状材料の分解時に放出される、請求項１４に記載の挿入具。
【請求項１６】
前記流速低減素子が、１つまたはそれ以上の生物活性物質の少なくとも１つの放出可能な貯蔵部を含む、請求項１０に記載の挿入具。
【請求項１７】
前記少なくとも１つの流量低減素が、生化学的プロフィールを変更するのに十分なほど前記糜粥の流速を低減する、請求項１０に記載の挿入具。
【請求項１８】
前記生化学的プロフィールがホルモン満腹信号を生成させるのに十分なほど変更される、請求項１７に記載の挿入具。
【請求項１９】
前記挿入具の物理的特徴は、前記挿入具が、前記挿入具が封止されるときに前記小腸の一部を拡張させ、前記拡張が、それに応じて前記小腸の１つまたはそれ以上の神経に満腹信号を生成させるのに十分であるというものである、請求項１に記載の挿入具。
【請求項２０】
前記挿入具の前記物理的特徴が長さ、幅、体積、重量、密度、多孔度のいずれでもよい、請求項１９に記載の挿入具。
【請求項２１】
１つまたはそれ以上の生物活性物質を含み、前記長形部材によって支持される１つまたはそれ以上の放出可能な貯蔵部と、前記長形部材によって支持される活性薬剤放出機構とをさらに備え、前記活性薬剤放出機構と前記１つまたはそれ以上の放出可能な貯蔵部が互いに動作可能に連通する、請求項１に記載の挿入具。
【請求項２２】
生物活性物質を配送するポンプをさらに備え、前記ポンプが前記長形部材によって支持され、前記１つまたはそれ以上の放出可能な貯蔵部に連結される、請求項１に記載の挿入具。
【請求項２３】
前記ポンプが浸透圧ポンプ、電動機械ポンプ、圧電ポンプ、流駆動ポンプ、蠕動ポンプのいずれかである、請求項２２に記載の挿入具。
【請求項２４】
エネルギーを前記ポンプに提供するように構成されるエネルギー貯蔵素子をさらに備える、請求項２２に記載の挿入具。
【請求項２５】
前記ポンプが遠隔装置によって制御される、請求項２２に記載の挿入具。
【請求項２６】
前記小腸または胃のいずれかの部位に電位を印加するように構成される電子エミッタをさらに備え、前記エミッタが前記長形部材によって支持される、請求項１に記載の挿入具。
【請求項２７】
前記エミッタが、起動後、満腹信号に寄与する神経反応を刺激する、請求項２６に記載の挿入具。
【請求項２８】
エネルギーを前記ポンプに提供するように構成されるエネルギー貯蔵素子をさらに備える、請求項２７に記載の挿入具。
【請求項２９】
前記電子エミッタが遠隔装置によって制御される、請求項２６に記載の挿入具。
【請求項３０】
前記長形部材の前記近位端に係合される固定部材をさらに備え、前記固定部材は前記目標部位への前記装置の安定化に寄与するように構成される、請求項１に記載の挿入具。
【請求項３１】
前記固定部材は、前記長形部材が前記小腸内の前記目標部位に配置されるときに前記胃にある、請求項３０に記載の挿入具。
【請求項３２】
小腸挿入具であって、
近位端と、
遠位端と、
前記近位端と前記遠位端の間の少なくとも１つの傾斜部であって、前記小腸内の少なくとも１つの傾斜目標部位に対応する傾斜部と
を含む長形部材と、
前記長形部材によって支持される神経刺激器と
を備える小腸挿入具。
【請求項３３】
前記挿入具が生分解性材料から形成される部分を含む、請求項３２に記載の挿入具。
【請求項３４】
前記長形部材が最初は前記目標部位内に安定的に配置され、その後、前記生分解性材料の分解後、前記目標部位から離れるように非安定化されるように構成される、請求項３３に記載の挿入具。
【請求項３５】
前記挿入具の前記傾斜部が生分解性材料を備える、請求項３３に記載の挿入具。
【請求項３６】
前記神経刺激器が、１つまたはそれ以上の満腹信号を生成するのに十分なほど前記小腸の１つまたはそれ以上の神経を刺激するために採用される、請求項３２に記載の挿入具。
【請求項３７】
エネルギーを前記神経刺激器に提供するように構成されるエネルギー貯蔵素子をさらに備える、請求項３２に記載の挿入具。
【請求項３８】
前記神経刺激器が遠隔装置によって制御される、請求項３２に記載の挿入具。
【請求項３９】
前記小腸内の前記傾斜目標部位が前記十二指腸にある、請求項３２に記載の挿入具。
【請求項４０】
前記十二指腸内の前記傾斜目標部位が２つの角度を備え、前記挿入具が前記十二指腸の２つの角度に対応する２つの角度を有する、請求項３９に記載の挿入具。
【請求項４１】
少なくとも１つの流速低減素子をさらに備え、前記素子が前記小腸内の糜粥の流速を低減するように構成される、請求項３２に記載の挿入具。
【請求項４２】
前記流速低減素子が少なくとも部分的に生分解性材料から形成される、請求項４１に記載の挿入具。
【請求項４３】
前記長形部材の前記近位端に係合される固定部材をさらに備え、前記固定部材が前記目標部位での前記装置の安定化に寄与するように構成される、請求項３２に記載の挿入具。
【請求項４４】
小腸挿入具であって、
近位端と、
遠位端と、
前記近位端と前記遠位端の間の少なくとも１つの傾斜部であって、前記小腸内の少なくとも１つの傾斜目標部位に対応する傾斜部と、
を含む長形部材と、
１つまたはそれ以上の生物活性物質を含み、前記長形部材によって支持される１つまたはそれ以上の放出可能な貯蔵部と、
前記長形部材によって支持される活性薬剤放出機構と
を備え、
前記活性薬剤放出機構と前記１つまたはそれ以上の放出可能な貯蔵部が互いに動作可能に連通する小腸挿入具。
【請求項４５】
生分解性材料から形成された部分を含む、請求項４４に記載の挿入具。
【請求項４６】
前記挿入具の少なくとも一部が生分解性材料で形成され、前記長形部材が、最初は前記目標部位内に安定的に位置し、その後、前記生分解性材料の分解後、前記目標部位から離れるように非安定化されるように構成される、請求項４５に記載の挿入具。
【請求項４７】
前記挿入具の前記傾斜部が生分解性材料を備える、請求項４６に記載の挿入具。
【請求項４８】
前記活性薬剤放出機構が浸透圧ポンプ、電動機械ポンプ、流駆動ポンプ、蠕動ポンプ、または圧電ポンプのいずれかを含む、請求項４４に記載の挿入具。
【請求項４９】
エネルギーを前記ポンプに提供するように構成されたエネルギー貯蔵素子をさらに備える、請求項４８に記載の挿入具。
【請求項５０】
前記活性薬剤放出機構が遠隔装置によって制御される、請求項４８に記載の挿入具。
【請求項５１】
前記活性薬剤放出機構によって放出される前記生物活性物質が満腹信号を生成するのに十分である、請求項４４に記載の挿入具。
【請求項５２】
前記小腸内の前記傾斜目標部位が前記十二指腸にある、請求項４４に記載の挿入具。
【請求項５３】
前記十二指腸内の前記傾斜目標部位は２つの角度を備え、前記挿入具が前記十二指腸の２つの角度に対応する２つの角度を有する、請求項５２に記載の挿入具。
【請求項５４】
前記傾斜部が形状記憶部を備える、請求項４４に記載の挿入具。
【請求項５５】
前記傾斜部が形状記憶合金部および生分解性部を備える、請求項４４に記載の挿入具。
【請求項５６】
前記小腸内の部位に電位を印加するように構成される電子エミッタをさらに備え、前記部位が満腹信号に寄与する神経反応を生成する、請求項４４に記載の挿入具。